(57)【要約】【課題】ユーザにとっては、前パネルを簡単に取り外すことができなくて、故障等が生じ難い空気調和機を提供すること。【解決手段】ケーシング２内の上部には、ロックピース２１を昇降可能に設け、このロックピース２１の上面とバネ台座２４との間にバネ２３を縮装して、ロックピースを下方に向けて付勢している。上記ロックピース２１の上部は、爪２１ａを設け、この爪２１ａに前パネル３の係止部３１を係脱可能に係止するようにしている。一方、上記ロックピース２１の下部は、上記爪２１ａに連なる押圧部２１ｂとなっている。この押圧部２１ｂの下面２１０は吸込口４に露出している。一方、上記ロックピース２１全体は、押圧部２１ｂの下面２１０を除いて、ケーシング２及び前パネル３に覆われていて、外からは見えないようになっている。【選択図】図２
2012017927.tif 000002
【特許請求の範囲】
【請求項１】
吸込口（４）を有するケーシング（２）と、
上記ケーシング（２）に着脱可能に取り付けられた前パネル（３）と、
上記前パネル（３）の上部に設けられた係止部（３１）と、
上記ケーシング（２）内の上部に昇降可能に設けられると共に、上記係止部（３１）が係脱可能に係止される被係止部（２１ａ）と、
上記被係止部（２１ａ）を下方に向けて付勢する弾性部材（２３）と、
上記被係止部（２１ａ）に連なると共に上記被係止部（２１ａ）を係止解除方向に押圧する押圧部（２１ｂ）と
を備え、
上記被係止部（２１ａ）及び上記弾性部材（２３）は、上記ケーシング（２）及び上記前パネル（３）に覆われており、
上記押圧部（２１ｂ）は、下面（２１０）を除いて、上記ケーシング（２）及び上記前パネル（３）に覆われており、
上記押圧部（２１ｂ）の下面（２１０）は露出していることを特徴とする空気調和機。
【請求項２】
請求項1に記載の空気調和機において、
上記押圧部（２１ｂ）の下面（２１０）は上記吸込口（４）に露出していることを特徴とする空気調和機。
【請求項３】
請求項1に記載の空気調和機において、
上記押圧部（２１ｂ）の下面（２１０）には識別用の突部（２１１）が設けられていることを特徴とする空気調和機。
【発明の詳細な説明】
【技術分野】
【０００１】
本発明はエアコンディショナーや空気清浄機等の空気調和機に関する。
【背景技術】
【０００２】
従来、空気調和機としては、ケーシングと、このケーシングに着脱可能に取り付けられた前パネルとを備えたものがある（特開２００９−２１４０２５号公報、（特許文献１））。この空気調和機は、上記ケーシングの天面に係合穴を設け、前パネルの天板裏面に、上記係合穴に係合する係合突起を設け、前パネル側面下部にフックを突出させて露出させ、ケーシングの側面下部にフックの先端の爪が係合可能な突片を設けている。そして、上記ケーシングの天面の係合穴に前パネルの天板裏面の係合突起を係合する一方、上記ケーシング側面下部の突片に、前パネルの側面の突出して露出させたフックの爪を係止して、上記前パネルをケーシングに着脱可能に取り付けている。
【０００３】
しかしながら、上記空気調和機では、前パネルをケーシングに取り付けた状態において、フックが前パネルの側面から突出して露出して外から見える位置にあるので、ユーザがフックを押圧して係止を解除して、前パネルをケーシングから簡単に取り外すことができ、故障等の原因になるという問題がある。
【先行技術文献】
【特許文献】
【０００４】
【特許文献１】特開２００９−２１４０２５号公報、図３、図７
【発明の概要】
【発明が解決しようとする課題】
【０００５】
そこで、本発明の課題は、ユーザにとっては、前パネルを簡単に取り外すことができなくて、故障等が生じ難い空気調和機を提供することにある。
【課題を解決するための手段】
【０００６】
上記課題を解決するため、本発明の空気調和機は、
吸込口を有するケーシングと、
上記ケーシングに着脱可能に取り付けられた前パネルと、
上記前パネルの上部に設けられた係止部と、
上記ケーシング内の上部に昇降可能に設けられると共に、上記係止部が係脱可能に係止される被係止部と、
上記被係止部を下方に向けて付勢する弾性部材と、
上記被係止部に連なると共に上記被係止部を係止解除方向に押圧する押圧部と
を備え、
上記被係止部及び上記弾性部材は、上記ケーシング及び上記前パネルに覆われており、
上記押圧部は、下面を除いて、上記ケーシング及び上記前パネルに覆われており、
上記押圧部の下面は露出していることを特徴としている。
【０００７】
上記構成の空気調和機によれば、上記被係止部がケーシング及び前パネルに覆われると共に、上記押圧部は、下面を除いて、ケーシング及び前パネルに覆われているため、ユーザにとっては、被係止部がどこにあるのかが分かりにくくて、前パネルを簡単に取り外されるのを防止できる。したがって、ユーザが前パネルを外して内部構造に接触するのを防止できて、故障の発生を防止できる。
【０００８】
一方、メンテナンスの作業者にとっては、上記押圧部の下面は露出しているため、押圧部によって被係止部を係止解除方向に押圧するだけで、前パネルを簡単に取り外すことができる。
【０００９】
一実施形態の空気調和機では、
上記押圧部の下面は上記吸込口に露出している。
【００１０】
上記実施形態によれば、上記押圧部の下面が上記吸込口に露出しているため、このことを知っているメンテナンスの作業者は、簡単に押圧部の下面を押圧して、係止を解除して、前パネルを取り外すことができる。一方、ユーザは、押圧部の下面が吸込口に露出していても、そのことが分かりにくく、ユーザが押圧部を簡単に押圧して、前パネルを簡単に取り外すのを防ぐことができる。
【００１１】
また、一実施形態の空気調和機では、
上記押圧部の下面には識別用の突部が設けられている。
【００１２】
上記実施形態によれば、メンテナンスの作業者には、上記識別用の突部により、それを目視をしなくても手探りで上記押圧部の位置が容易に分かる。
【発明の効果】
【００１３】
この発明によれば、ユーザにとっては、上記被係止部がケーシング及び前パネルで覆われているが、上記押圧部は下面を除いてケーシング及び前パネルで覆われているので、被係止部及び押圧部がどこにあるのかが分かりにくくて、上記前パネルが簡単に取り外されるのを防止できる一方、押圧部の箇所を予め知っているメンテナンスの作業者にとっては、上記押圧部の下面が露出しているため、押圧部を係止解除方向に押圧するだけで、前パネルを簡単に取り外すことができる。
【図面の簡単な説明】
【００１４】
【図１】図１（Ａ）は、本発明の空気調和機の一実施形態の前パネル及びケーシングの斜視図である。図１（Ｂ）は、上記実施形態の分解斜視図である。
【図２】図２（Ａ）は、上記実施形態の前パネルの取付け状態を示す部分断面図である。図２（Ｂ）は、上記実施形態の前パネルを取り外す方法を説明する図である。
【図３】図３（Ａ）は、上記実施形態のロックピースの周辺部分を斜め下方から見た斜視図である。図３（Ｂ）は、上記実施形態のロックピースの動きを説明する図である。
【発明を実施するための形態】
【００１５】
以下、本発明の空気調和機を図示の実施形態により詳細に説明する。
【００１６】
図１（Ａ）に示すように、本発明の空気調和機の一実施形態の空気清浄機１は、ケーシング２と、このケーシング２の前面に着脱可能に取り付けた前パネル３とを備える。
【００１７】
図１（Ｂ）に示すように、上記前パネル３の背面上部の両端部には、カギ型形状の係止部３１（片側のみを示している。）をケーシング２側へ突出して設けている。一方、上記前パネル３の下面には、突部３２，３２を下方に突出して設けている。
【００１８】
上記ケーシング２の前面下部には、前パネル３の突部３２，３２に対応する位置にそれぞれ角穴２２，２２を設けて、上記突部３２，３２と角穴２２，２２とを係合するようにしている。
【００１９】
また、上記ケーシング２の前面中央部にはフィルタ６を設け、ケーシング２の両側面上部には空気清浄機を持ち運ぶための取手２５（片側のみを図示している。）を設けている。
【００２０】
図１（Ａ）に示すように、上記空気清浄機１の両側面には、ケーシング２と前パネル３との間に位置するように吸込口４（片側のみを図示している。）を設けている。また、ケーシング２の天面後部には吹出口（図示しない。）を設けている。
【００２１】
図２（Ａ）に示すように、上記ケーシング２内の上部には、ロックピース２１を昇降可能に設け、このロックピース２１の上面とバネ台座２４との間に弾性部材の一例としてのバネ２３を縮装して、ロックピース２１を下方に向けて付勢している。上記ロックピース２１の上部は、被係止部の一例としてのカギ型形状の爪２１ａであり、この爪２１ａに前パネル３の係止部３１を係脱可能に係止するようにしている。一方、上記ロックピース２１の下部は、上記被係止部としての爪２１ａに連なる押圧部２１ｂとなっている。この押圧部２１ｂの下面２１０は吸込口４に露出している。一方、上記ロックピース２１全体は、押圧部２１ｂの下面２１０を除いて、ケーシング２及び前パネル３に覆われていて、外からは見えないようになっている。
【００２２】
図３（Ａ）に示すように、上記ロックピース２１の押圧部２１ｂの下面２１０には、識別用の円形の突部２１１を設ける一方、この突部２１１を識別し易いように、上記突部２１１の周囲にドーナツ形状の溝部２１２を設けている。
【００２３】
なお、図２（Ａ）、（Ｂ）に示すように、ケーシング２内には、フィルタ６と、このフィルタ６を介して室内の空気を吸入するファン７を設けている。
【００２４】
上記構成の空気調和機によれば、作業者がメンテナンスのために、上記前パネル３をケーシング２から取り外す場合には、まず、吸込口４に手を入れてロックピース２１の押圧部２１ｂの下面２１０の突部２１１により、押圧部２１ｂの位置を確かめる。このとき、上記突部２１１の周りに溝部２１２があるので、押圧部２１ｂの下面２１０をより確実に容易に識別できる。
【００２５】
次に、上記押圧部２１ｂの下面２１０を図３（Ａ）の矢印Ａで示すように上方へ向けて押圧して、図３（Ｂ）の矢印Ｂで示すように、上記ロックピース２１を上方へ押し上げる。これにより、上記被係止部としての爪２１ａと上記係止部３１との係止を解除して、図２（Ｂ）に示すように、前パネル３の上部をケーシング２から取り外す。そして、上記ケーシング２の前面下部の角穴２２，２２と前パネル３の突部３２，３２との係合を解除して、簡単に前パネル３をケーシング２から取り外すことができる。
【００２６】
一方、上記被係止部としての爪２１ａと押圧部２１ｂとが一体化したロックピース２１が、押圧部２１ｂの下面２１０を除いて、上記ケーシング２及び上記前パネル３に覆われているので、ユーザにとっては、被係止部としての爪２１ａと押圧部２１ｂとがどこにあるのかが分かりにくくて、前パネル３が簡単に取り外されるのを防止できる。したがって、故障の発生原因を除去できる。
【００２７】
一方、前述の如く、メンテナンスの作業者にとっては、押圧部２１ｂの下面２１０が吸込口４に露出していることを予め知っているため、上記押圧部２１ｂを係止解除する方向、すなわち上方へ向けて押圧するだけで、前パネル３を簡単に取り外すことができる。
【００２８】
また、上記押圧部２１ｂの下面２１０が吸込口４に露出しているため、メンテナンスの作業者は、押圧部２１ｂの下面２１０を直ちに押圧できて、前パネル３を簡単迅速に取り外すことができる。一方、ユーザは、押圧部２１ｂの下面２１０が吸込口４に露出していても、そのことが分かりにくく、ユーザが押圧部２１ｂを簡単に押圧することを防ぐことができる。仮に、押圧部の上面や側面が露出しているならば、ユーザは、その上面や側面を認識することが可能であるかもしれない。しかし、押圧部２１ｂの下面２１０をユーザが覗いて認識することは殆ど不可能であるから、ユーザが押圧部２１ｂの下面２１０を押圧することは殆どない。
【００２９】
さらにまた、メンテナンスの作業者には、上記識別用の突部２１ｃにより、押圧部２１ｂの位置が手探りで容易に分かる。
【００３０】
上記実施形態では、被係止部としての爪２１ａと押圧部２１ｂとを一体化したロックピース２１を用いたが、被係止部と押圧部とは、別体であっても、連なっていればよい。
【００３１】
また、上記実施形態では、押圧部２１ｂの下面２１０が吸込口４に露出していたが、取手２５の内面や吹出口の内面など、ユーザにとっては、どこにあるのかが分かりにくい場所に、押圧部の下面が露出していてもよい。
【００３２】
また、上記実施形態では、ロックピース２１の押圧部２１ｂの下面２１０には、識別用の円形の突部２１１を設けたが、突部の形状は、四角形などの多角形やドーナツ形状などの識別し易い形状であればよい。
【００３３】
また、上記実施形態では、弾性部材の一例としてバネ２３を用いたが、バネ２３に限らず、押圧部２１ｂを下方に押さえつける力を発生させる形態、例えば弾性ゴム、空気の弾性を利用した空気圧シリンダなどの他の形態であってもよい。
【００３４】
また、本発明は、空気清浄機以外にも、冷房、暖房、除湿、加湿などのうちの少なくとも１つを行う空気調和機にも適用することができることは言うまでもない。
【符号の説明】
【００３５】
２…ケーシング
３…前パネル
４…吸込口
２１ａ…被係止部
２１ｂ…押圧部
２３…バネ
３１…係止部
２１０…押圧部の下面
２１１…突部
【図１】
2012017927.tif 000003
【図２】
2012017927.tif 000004
【図３】
2012017927.tif 000005